(57)【要約】【課題】余剰に発生する光または熱を、光電素子及び熱電素子により再び電気エネルギー（電力）とし、二次電池に蓄えて再利用することにより消費電力を少なくすることができる画像読取装置を提供する。【解決手段】光源７によりコンタクトガラス２上の原稿を照射し、その反射光をレンズ１３を介して受光素子１４に結像して電気信号に変換する画像読取装置において、光源７より発生した光エネルギーを電気エネルギーに変換する光電素子１０１と、電気エネルギーを蓄える二次電池１０３とを備えた。【選択図】      図１
2004254249.tif 000002
【特許請求の範囲】
【請求項１】
光源によりコンタクトガラス上の原稿を照射し、その反射光をレンズを介して受光素子に結像して電気信号に変換する画像読取装置において、光源より発生した光エネルギーを電気エネルギーに変換する光電素子と、電気エネルギーを蓄える二次電池と、を備えたことを特徴とする画像読取装置。
【請求項２】
二次電池の電力を電力供給により動作するユニットに供給することを特徴とする請求項１に記載の画像読取装置。
【請求項３】
光電素子が原稿を露光走査する走行体上に備えられたことを特徴とする請求項１に記載の画像読取装置。
【請求項４】
光電素子が太陽電池であることを特徴とする請求項１に記載の画像読取装置。
【請求項５】
光電素子は、発電面が水平面に対して−４５°から＋４５°の間の角度を持って上向きになるように設置されており、光電素子の上方に採光部を有することを特徴とする請求項１に記載の画像読取装置。
【請求項６】
光源によりコンタクトガラス上の原稿を照射し、その反射光をレンズを介して受光素子に結像して電気信号に変換する画像読取装置において、光源より発生した熱エネルギーを電気エネルギーに変換する熱電素子と、電気エネルギーを蓄える二次電池とを備えたことを特徴とする画像読取装置。
【請求項７】
二次電池の電力を電力供給により動作するユニットに供給することを特徴とする請求項６に記載の画像読取装置。
【請求項８】
熱電素子が原稿を露光走査する走行体上に備えられたことを特徴とする請求項６に記載の画像読取装置。
【発明の詳細な説明】
【０００１】
【発明の属する技術分野】
本発明は、光源によりコンタクトガラス上の原稿を照射し、その反射光をレンズを介して受光素子に結像して電気信号に変換する画像読取装置に関する。
【０００２】
【従来の技術】
図４は従来例に係る画像読取装置の構成図である。本画像読取装置は、基準スケール１と、原稿ａをセットするコンタクトガラス２と、第一の反射板３及び第二の反射板４、ピン５により取り付けられている遮光板６、ハロゲンランプ７、第一反射ミラー８を有する第一走行体９と、第二、第三反射ミラー１０、１１を有する第二走行体１２と、レンズ１３と、ＣＣＤ基盤１４と、入力画像情報を処理するコントローラ１５と、印刷モードや拡大縮小度といった情報を出力する液晶ディスプレイ１６と、コンタクトガラス１に原稿ａを押圧する圧板１７とを備える。
ハロゲンランプ７から出射され、第一の反射板３及び第二の反射板４で反射し、続いてコンタクトガラス１上の原稿ａ面で反射した光は、第一反射ミラー８、第二、第三反射ミラー１０、１１、レンズ１３を経てＣＣＤ基盤１４に照射され、ＣＣＤ基盤１４により原稿ａの光情報が電気信号に変換される。原稿ａに左から当たる光ｂと右から当たる光ｃの量を等しくするために、遮光板６を用いて右から当たる光ｃの量を減らし、第一の反射板３を用いて左から当たる光ｂの量を増やしている。これにより、原稿ａに段差がある場合（例えば張り合わせ原稿など）でも、影が出にくい読み取り画像データを得ることができる。
通常、画像読取装置では、原稿走査の際、原稿上で光が拡散してしまい、ごく一部の光しかＣＣＤ基盤に到達しない。原稿読み取りのために多くの光量をＣＣＤ基盤に到達させる必要があるが、ＣＣＤ基盤に到達しなかった光は無駄になる。つまり、現在のシステムでは無駄な光のために不要な電力消費をしていると言える。
光源（ハロゲンランプ）７から発光される光のうち、原稿像結像のために利用されなかった光を有効利用するために、例えば、特許文献１には、光源からの光を太陽電池に照射させ、太陽電池が発生した電力をケーブルで接続した画像読取基盤に直接供給する技術が提案されている。
【特許文献１】特開平８−２８９０８３号公報
【０００３】
【発明が解決しようとする課題】
特開平８−２８９０８３号公報では、太陽電池により発生した電力を直接、画像読取基盤に供給している。この場合、光源が発光している間しか電力を供給できない。また、コンデンサを画像読取基盤に取り付けた場合、太陽電池からの電力を蓄電することはできるが、充電容量の関係から小電力のものに用途が限られてしまう。そのため、画像読取基盤にしか電力を供給することができず、エネルギーの有効活用率が低くなる。
本発明は、余剰に発生する光または熱を、光電素子及び熱電素子により再び電気エネルギー（電力）とし、二次電池に蓄えて再利用することにより消費電力を少なくすることができる画像読取装置を提供することを目的とする。
【０００４】
【課題を解決するための手段】
上記目的を達成するために、請求項１記載の発明では、光源によりコンタクトガラス上の原稿を照射し、その反射光をレンズを介して受光素子に結像して電気信号に変換する画像読取装置において、光源より発生した光エネルギーを電気エネルギーに変換する光電素子と、電気エネルギーを蓄える二次電池とを備えた画像読取装置を最も主要な特徴とする。
請求項２記載の発明では、二次電池の電力を電力供給により動作するユニットに供給する請求項１に記載の画像読取装置を主要な特徴とする。
請求項３記載の発明では、光電素子が原稿を露光走査する走行体上に備えられた請求項１に記載の画像読取装置を主要な特徴とする。
請求項４記載の発明では、光電素子が太陽電池である請求項１に記載の画像読取装置を主要な特徴とする。
請求項５記載の発明では、光電素子は、発電面が水平面に対して−４５°から＋４５°の間の角度を持って上向きになるように設置されており、光電素子の上方に採光部を有する請求項１に記載の画像読取装置を主要な特徴とする。
請求項６記載の発明では、光源によりコンタクトガラス上の原稿を照射し、その反射光をレンズを介して受光素子に結像して電気信号に変換する画像読取装置において、光源より発生した熱エネルギーを電気エネルギーに変換する熱電素子と、電気エネルギーを蓄える二次電池とを備えた画像読取装置を最も主要な特徴とする。
請求項７記載の発明では、二次電池の電力を電力供給により動作するユニットに供給する請求項６に記載の画像読取装置を主要な特徴とする。
請求項８記載の発明では、熱電素子が原稿を露光走査する走行体上に備えられた請求項６に記載の画像読取装置を主要な特徴とする。
【０００５】
【発明の実施の形態】
以下、本発明の実施の形態を図面に従って説明する。なお図４に示す従来例と同一個所には同一符号を付して重複する説明は省略する。
図１は本発明の第１の実施の形態に係る画像読取装置の構成図である。本画像読取装置は、遮光板６のハロゲンランプ７側に光電素子として太陽電池１０１を配置する。そして原稿走査時に発生する光エネルギーを電気エネルギー（電力）に変換し、ケーブル１０２を介して二次電池１０３に蓄えるようにしている。
なお、太陽電池１０１は、遮光板６以外にも、圧板１７やコンタクトガラス２上、基準スケール１裏など、ハロゲンランプ７の光が届く場所で、原稿ａを読むために必要な光の通る経路以外であればどこに配置しても良い。また、二次電池１０３に蓄えられた電力は、電力供給ケーブル１０４を通じてＣＣＤ基盤１４やコントローラ１５や液晶ディスプレイ１６に供給される。ここで、二次電池１０３から電力を供給される電気部品は、上記以外にも電力によって駆動・動作するユニットなら何でも良い。以上より、原稿走査時の光エネルギーを電気エネルギーに変換し、二次電池１０３に蓄えることで、エネルギーの回収を行うことが可能となる。
図２は太陽電池の設置状態の一例を示す図である。スキャナや複写機などの画像形成装置は、室内やオフィスなどの明るい場所で使用されることを考慮し、原稿走査時以外でも外部光ｄにより発電できるようにする。そのために、第一走行体９が待機位置にある状態で、太陽電池１０１に外部光ｄが当たるように基準スケール１に透明板等の透光性を有した材料から成る採光部１０５を設ける。
採光部１０５からの光は上より入射するため、太陽電池１０１は発電面１０６を上側にし、水平面に対し、−４５°〜＋４５°の間の角度を持って配置する。なお、採光部１０５の位置は、基準スケール１以外にも太陽電池１０１に外部光ｄが当たる位置なら何処でも良い。
図３は本発明の第２の実施の形態に係る画像読取装置の構成図である。図１に示す第１の実施の形態では、ハロゲンランプ７の光エネルギーを電気エネルギー（電力）に変換するために光電素子としての太陽電池１０１を用いた。しかしハロゲンランプ７は光以外にも熱を発する。
そこで本画像読取装置は、遮光板６のハロゲンランプ７側に熱電素子１０７を配置することにより、原稿走査時に発生する熱エネルギーを電気エネルギー（電力）に変換し、ケーブル１０２を介して二次電池１０３に蓄えるようにする。
なお、熱電素子１０７は、遮光板６以外にも、圧板１７やコンタクトガラス２上、基準スケール１裏など、ハロゲンランプ７の熱が届く場所であればどこに配置しても良い。また、二次電池１０３に蓄えられた電力は、電力供給ケーブル１０４を通じてＣＣＤ基盤１４やコントローラ１５や液晶ディスプレイ１６に供給される。ここで、二次電池１０３から電力を供給される部品は、上記以外にも電力によって駆動・動作するユニットなら何でも良い。
【０００６】
【発明の効果】
請求項１記載の発明においては、光源から余剰に発生する光エネルギーを光電素子により再び電気エネルギー（電力）とし、二次電池に蓄える。これにより、無駄に消費される電力の一部を回収することが可能になる。二次電池に蓄えられた電力は画像読取装置内や他の機器に使用することができるため、消費電力を少なくすることができる。
請求項２記載の発明においては、二次電池の電力を、ケーブルを介してＣＣＤ基盤、コントローラ、液晶ディスプレイ、画像読取装置外の周辺部品などに供給することにより、二次電池に蓄えられた電力を有効活用することができる。これにより、トータルでの消費電力を少なくすることができる。
請求項３記載の発明においては、光電素子を走行体上に配置しているため、光電素子は原稿走査時に走行体及びハロゲンランプと一緒に動く。これにより、原稿走査時において光電素子は、多量で一定の光エネルギーを受けることになるので、より多くの電気エネルギー（電力）を二次電池に蓄えることが可能になる。そのため、消費電力を更に少なくすることができる。
請求項４記載の発明においては、光電素子として汎用の太陽電池を用いることにより低コスト化を図ることができる。
請求項５記載の発明においては、非原稿走査時に光電素子が待機する箇所に外部の光が入るように採光部を設けることにより、常時発電を行うことができる。これにより、原稿走査時の余剰光エネルギーのみならず、室内光の光エネルギーをも回収することが可能となり、全体的なエネルギー回収量が増し、消費電力を更に少なくすることができる。
請求項６記載の発明においては、光源から余剰に発生する熱エネルギーを熱電素子により再び電気エネルギー（電力）とし、二次電池に蓄える。これにより、無駄に消費される電力の一部を回収することが可能になる。二次電池に蓄えられた電力は画像読取装置内や他の機器に使用することができるため、消費電力を少なくすることができる。
請求項７記載の発明においては、二次電池の電力を、ケーブルを介してＣＣＤ基盤、コントローラ、液晶ディスプレイ、画像読取装置外の周辺部品などに供給することにより、二次電池に蓄えられた電力を有効活用することができる。これにより、トータルでの消費電力を少なくすることができる。
請求項８記載の発明においては、熱電素子を走行体上に配置しているため、熱電素子は原稿走査時に走行体及びハロゲンランプと一緒に動く。これにより、原稿走査時において熱電素子は、多量で一定の熱エネルギーを受けることになるので、より多くの電気エネルギー（電力）を二次電池に蓄えることが可能になる。そのため、消費電力を更に少なくすることができる。
【図面の簡単な説明】
【図１】本発明の第１の実施の形態に係る画像読取装置の構成図である。
【図２】太陽電池の設置状態の一例を示す図である。
【図３】本発明の第２の実施の形態に係る画像読取装置の構成図である。
【図４】従来例に係る画像読取装置の構成図である。
【符号の説明】
１  基準スケール、２  コンタクトガラス、３  第一の反射板、４  第二の反射板、５  ピン、６  遮光板、７  ハロゲンランプ、８  第一反射ミラー、９  第一走行体、１０  第二反射ミラー、１１  第三反射ミラー、１２  第二走行体、１３  レンズ、１４  ＣＣＤ基盤、１５  コントローラ、１６  液晶ディスプレイ、１７  圧板、１０１  太陽電池、１０２  ケーブル、１０３  二次電池、１０４  電力供給ケーブル、１０５  採光部、１０６  発電面、１０７  熱電素子、ａ  原稿、ｂ  左からの光、ｃ  右からの光、ｄ  外部光。
【図１】
2004254249.tif 000003
【図２】
2004254249.tif 000004
【図３】
2004254249.tif 000005
【図４】
2004254249.tif 000006